(57)【要約】【課題】画像信号のＳ／Ｎ比を向上させ高画質の画像を得るための最適な光量を短時間で、かつ低コストで得ることができる画像読取装置を提供する。【解決手段】画像読取装置は、所定の基準濃度を有する基準板３０７と、基準板３０７に光を照射する光源３０３と、光源３０３を点灯駆動する駆動手段３１２と、光源３０３から基準板３０７に照射された光の反射光を受光して光電変換することにより画像信号を出力する読取手段３０４と、読取手段３０４の出力信号に基づいて画像読取時の光源３０３の光量を算出し、算出した光量となるように駆動手段３１２を制御する制御手段３０１，３０９とを備える。制御手段３０１は、光源３０３が第一光量で点灯した際の読取手段３０４の出力信号と、第一光量で点灯した後に光源３０３が第二光量で点灯した際の読取手段３０４の出力信号とに基づいて光源３０３の光量を算出する。【選択図】図１
2010034847.tif 000002
【特許請求の範囲】
【請求項１】
所定の基準濃度を有する基準部材と、該基準部材に光を照射する光源と、該光源を点灯駆動する駆動手段と、前記光源から前記基準部材に照射された光の反射光を受光して光電変換することにより画像信号を出力する読取手段と、該読取手段の出力信号に基づいて前記駆動手段を制御して画像読取時の前記光源の光量を調整する制御手段と、を備える画像読取装置であって、
前記制御手段は、前記光源が第一光量で点灯した際の前記読取手段の出力信号と、前記光源が第二光量で点灯した際の前記読取手段の出力信号とに基づいて画像読取時の前記光源の光量を調整する、ことを特徴とする画像読取装置。
【請求項２】
前記光源の光量を変更し、前記読取手段の信号出力値が所定の値以上になる光量を求めて前記第一光量に設定する手段を備えることを特徴とする請求項１に記載の画像読取装置。
【請求項３】
前記光源の光量を一定量ずつ変更し、該一定量の変更に対する前記読取手段の信号出力値の変化量が所定の値以上となる光量を前記第一光量に設定する手段を備えることを特徴とする請求項１に記載の画像読取装置。
【請求項４】
所定の基準濃度を有する基準部材と、該基準部材に光を照射する光源と、前記光源を点灯駆動する駆動手段と、前記光源から前記基準部材に照射された光の反射光を受光して光電変換することにより画像信号を出力する読取手段と、を備える画像読取装置の制御方法であって、
前記光源を第一光量で点灯させ、前記読取手段の出力信号を取得する第一取得ステップと、前記光源を第二光量で点灯させ、前記読取手段の出力信号を取得する第二取得ステップと、前記第一取得ステップで取得された出力信号と前記第二取得ステップで取得された出力信号とに基づいて前記駆動手段を制御して、画像読取時の前記光源の光量を調整する制御ステップと、を備えること特徴とする画像読取装置の制御方法。
【請求項５】
所定の基準濃度を有する基準部材と、該基準部材に光を照射する光源と、前記光源を点灯駆動する駆動手段と、前記光源から前記基準部材に照射された光の反射光を受光して光電変換することにより画像信号を出力する読取手段と、を備える画像読取装置を制御するプログラムであって、
前記光源を第一光量で点灯させ、前記読取手段の出力信号を取得する第一取得ステップと、前記光源を第二光量で点灯させ、前記読取手段の出力信号を取得する第二取得ステップと、前記第一取得ステップで取得された出力信号と前記第二取得ステップで取得された出力信号とに基づいて前記駆動手段を制御して、画像読取時の前記光源の光量を調整する制御ステップと、をコンピュータに実行させる、ことを特徴とするプログラム。
【発明の詳細な説明】
【技術分野】
【０００１】
本発明は、光量調整機能を有する画像読取装置、画像読取装置の制御方法及びプログラムに関する。
【背景技術】
【０００２】
ＣＩＳ、ＣＣＤ等のイメージセンサを備える画像読取装置は、ＬＥＤ、ランプ等の光源からの光を原稿に照射し、その反射光をイメージセンサで受光することによりアナログ画像信号を出力する。イメージセンサで光電変換されて出力された電気信号は、ゲインコントローラにより増幅され、デジタル信号に変換されて、画像処理部に出力される。
【０００３】
ところで、画像信号のＳ／Ｎ比を向上し、高画質の画像を得るためには、イメージセンサから出力されるアナログ画像信号の振幅を大きくし、ノイズの影響を受けにくくする必要がある。
【０００４】
イメージセンサから出力されるアナログ画像信号振幅を大きくするためには、光源の光量を上げればよいが、光量を上げすぎるとイメージセンサは飽和（光量と出力信号振幅が比例関係でなくなる）してしまう。
【０００５】
また、イメージセンサのアナログ画像信号振幅を大きくすると、信号を受け取るＡＦＥ（アナログフロントエンド）−ＩＣのデジタル出力信号が飽和（入力画像信号に対するデジタル出力信号が比例関係でなくなる）するという問題もある。
【０００６】
さらに、光源には光量出力のばらつきがあり、イメージセンサにもセンサ感度のばらつきがある。このため、光量出力のばらつきが最大の場合を想定し、かつイメージセンサの感度が最大になると想定してイメージセンサからのアナログ画像信号の振幅及びＡＦＥ−ＩＣのデジタル出力信号が飽和しないように光源の光量を設定すると、次の問題が生じる。すなわち、通常の光量出力・センサ感度を有する機体でのイメージセンサからのアナログ画像信号振幅が小さくなるため、ノイズの影響を受けやすくなり、低画質となってしまう。
【０００７】
そこで、画像読取装置ごとに光量を調整して、イメージセンサからのアナログ画像信号の振幅が大きくなるようにし、画像信号のＳ／Ｎ比を向上させ高画質の画像を得る方法が提案されている。
【０００８】
例えば、原稿の反射光を集光する集光レンズの手前位置に移動可能な遮光板を配置し、遮光板を移動させることにより光量調整を行う画像読取装置が提案されている（特許文献１）。また、デジタル画像信号の目標値を設定し、飽和出力状態からデジタル画像信号の目標値に到達するまで光源の電流値を徐々に変更して光量調整を行う画像読取装置が提案されている（特許文献２）。さらに、光源の点灯時間を徐々に変更して光量調整を行う画像読取装置が提案されている（特許文献３）。
【特許文献１】特開２００７−２５１４３０号公報
【特許文献２】特開２００６−６７０２９号公報
【特許文献３】特開平４−２６１２７０号公報
【発明の開示】
【発明が解決しようとする課題】
【０００９】
上記特許文献１では、原稿の反射光を遮光するための遮光板や遮光板を移動させるための駆動部品が必要になるため、装置コストが高くつく問題がある。
【００１０】
また、上記特許文献２及び３では、ユーザによる光量調整も可能だが、調整に時間がかかるため、画像を読み取るごとに光量調整を行うなど、こまめに調整を行うのが煩わしいという問題がある。
【００１１】
この場合、図８に示すように、光源が第一の光量（Ｌ１）で点灯した際の出力（Ｄ４０２）と点灯していない場合の出力データ（Ｄ４０１）から傾きを算出し、デジタル画像信号出力目標値（ＤＴ）から、画像読取り時の光量（ＬＴ）を決定する方法が考えられる。
【００１２】
しかし、上記方法による光量調整では、理想の光量ＬＴを得られない場合が生じる。例えば、光量設定を光源の点灯時間を変更して行う場合に、図９に示すように、読取センサの光源６０１の点灯を駆動する点灯駆動回路６０２が汎用のトランジスタやオペアンプ等の応答速度の遅い低価格の回路で構成されていたとする。
【００１３】
この場合、図１０に示すように、設定光量の値が高い（光源の点灯期間が十分長い）ときは、点灯駆動回路６０２の応答速度が遅くても光源が点灯する。しかし、図１１に示すように、設定光量の値が低い（光源の点灯期間が短い）ときの光源点灯信号の出力は、光源が点灯できる出力まで立ち上がらず、光源は点灯しない。そのため、設定光量とデジタル画像信号の出力との関係は図１２の実線のようになる。
【００１４】
図１２において、図８と同様に、第一の光量（Ｌ１）で点灯した際の出力（Ｄ５０２）と点灯していない場合の出力データ（Ｄ５０１）から傾きを算出し、デジタル画像信号出力目標値（ＤＴ）から、画像読取り時の光量（ＬＴ）を決定したとする。この場合、図１２の一点鎖線のような特性と誤認識した状態で光量調整を行うことになる。それにより、間違った光量（ＬＴ）が設定される結果、デジタル画像信号の出力値は目標値（ＤＴ）から異なった調整値（ＤＷ）となってしまう。
【００１５】
そのため、図８の調整方法と同様にするためには光源の点灯駆動回路６０２を高速応答できるトランジスタやオペアンプで回路を構成する必要があるが、装置コストが高くつくという問題がある。
【００１６】
そこで、本発明は、画像信号のＳ／Ｎ比を向上させ高画質の画像を得るための最適な光量を短時間で、かつ低コストで得ることができる画像読取装置、画像読取装置の制御方法及びプログラムを提供することを目的とする。
【課題を解決するための手段】
【００１７】
上記目的を達成するために、本発明の画像読取装置は、所定の基準濃度を有する基準部材と、該基準部材に光を照射する光源と、該光源を点灯駆動する駆動手段と、前記光源から前記基準部材に照射された光の反射光を受光して光電変換することにより画像信号を出力する読取手段と、該読取手段の出力信号に基づいて前記駆動手段を制御して画像読取時の前記光源の光量を調整する制御手段と、を備える画像読取装置であって、前記制御手段は、前記光源が第一光量で点灯した際の前記読取手段の出力信号と、前記光源が第二光量で点灯した際の前記読取手段の出力信号とに基づいて画像読取時の前記光源の光量を調整する、ことを特徴とする。
【００１８】
本発明の画像読取装置の制御方法は、所定の基準濃度を有する基準部材と、該基準部材に光を照射する光源と、前記光源を点灯駆動する駆動手段と、前記光源から前記基準部材に照射された光の反射光を受光して光電変換することにより画像信号を出力する読取手段と、を備える画像読取装置の制御方法であって、前記光源を第一光量で点灯させ、前記読取手段の出力信号を取得する第一取得ステップと、前記光源を第二光量で点灯させ、前記読取手段の出力信号を取得する第二取得ステップと、前記第一取得ステップで取得された出力信号と前記第二取得ステップで取得された出力信号とに基づいて前記駆動手段を制御して、画像読取時の前記光源の光量を調整する制御ステップと、を備えること特徴とする。
【００１９】
本発明のプログラムは、所定の基準濃度を有する基準部材と、該基準部材に光を照射する光源と、前記光源を点灯駆動する駆動手段と、前記光源から前記基準部材に照射された光の反射光を受光して光電変換することにより画像信号を出力する読取手段と、を備える画像読取装置を制御するプログラムであって、前記光源を第一光量で点灯させ、前記読取手段の出力信号を取得する第一取得ステップと、前記光源を第二光量で点灯させ、前記読取手段の出力信号を取得する第二取得ステップと、前記第一取得ステップで取得された出力信号と前記第二取得ステップで取得された出力信号とに基づいて前記駆動手段を制御して、画像読取時の前記光源の光量を調整する制御ステップと、をコンピュータに実行させる、ことを特徴とする。
【発明の効果】
【００２０】
本発明によれば、光源が第一光量で点灯した際と第二光量で点灯した際の読取手段の出力信号に基づいて光量調整を行う。このため、設定光量の値が低いときに入力される点灯信号に対して応答できず、光源が点灯しない応答速度の遅い低価格の点灯駆動回路であっても、画像信号のＳ／Ｎ比を向上させて高画質の画像を得るための最適な光量を短時間で得ることができる。
【発明を実施するための最良の形態】
【００２１】
以下、本発明の実施形態を図面を参照して説明する。
【００２２】
（第１の実施形態）
図１は、本発明の第１の実施形態である画像読取装置の装置構成を説明するためのブロック図である。
【００２３】
図１に示すように、本実施形態の画像読取装置は、主制御部３０１、ＲＯＭ３０２、光源３０３、読取センサ３０４、ＡＦＥ３０５、ＳＤ−ＲＡＭ３０６、基準板３０７及び点灯駆動回路３１２を備える。
【００２４】
主制御部３０１は、光源３０３の光量を調整する光量制御部３０９、読取センサ３０４の駆動を制御するセンサ制御部３１０、ＡＦＥ３０５の制御とＡＦＥ３０５から出力された画像データを取得するＡＦＥ制御部３１１を備える。また、主制御部３０１は、不図示の外部情報端末に画像データや制御コマンド等の通信を行うための外部ＩＦ制御部３０８を備え、ＲＯＭ３０２に格納されたプログラムに基づき各制御部３０８〜３１１の制御を行う。
【００２５】
点灯駆動回路３１２は、光源３０３を点灯するための回路であり、汎用のトランジスタやオペアンプで構成されている。読取センサ３０３は、光源３０３から照射された光の反射光を受光し、該反射光を光電変換してアナログの画像信号を出力する。
【００２６】
ＡＦＥ３０５は、主制御部３０１の制御に基づき、読取センサ３０４から出力されたアナログの画像信号の増幅率とオフセットレベルを調整し、デジタルの画像信号にＡ／Ｄ変換してＡＦＥ制御部３１１に出力する。
【００２７】
ＳＤ−ＲＡＭ３０６は、主制御部３０１のプログラムの一部と主制御部３０１がＡＦＥ３０５より取得した画像データを一時格納する。基準板３０７は、シェーディング補正を行うための所定の基準濃度を有する基準部材である。
【００２８】
次に、図２及び図３を参照して、本実施形態の画像読取装置における光源の光量調整動作例について説明する。
【００２９】
図２は光源の光量調整動作例を説明するためのフローチャート図、図３は光源の光量調整動作時の光量とＡＦＥ出力との関係を示すグラフ図である。なお、図２での各処理は、ＲＯＭ３０２等に記憶されたプログラムがＳＤ−ＲＡＭ３０６にロードされて、主制御部３０１のＣＰＵ等により実行される。また、本実施形態では、光量制御部３０９が光源３０３の点灯期間を変更することで光量調整を行う。さらに、光源３０３の光量調整は、例えば画像の読取開始直前或いは画像読取装置の出荷前等に行うものとする。
【００３０】
最初に黒基準の調整を行う。ステップＳ１０１では、主制御部３０１は、ＡＦＥ制御部３１１を制御して、ＡＦＥ３０５の増幅率を設定するレジスタを最小値に設定し、オフセットレベルを設定するレジスタを中間レベルに設定する。
【００３１】
次に、ステップＳ１０２では、主制御部３０１は、光量制御部３０９を介して点灯駆動回路３１２の駆動を制御して、光源３０３を消灯する。
【００３２】
次に、ステップＳ１０３では、主制御部３０１は、センサ制御部３１０を制御して、読取センサ３０４を駆動する。ここで、読取センサ３０４から出力されたアナログの画像信号は、ＡＦＥ３０５により増幅率とオフセットレベルが調整されて、デジタルの画像信号にＡ／Ｄ変換され、ＡＦＥ制御部３１１に出力される。そして、主制御部３０１は、ＡＦＥ３０５から出力されたデジタル画像信号の出力値Ｄ１０４をＡＦＥ制御部３１１を介して取得してＳＤ−ＲＡＭ３０６に保管する。
【００３３】
次に、ステップＳ１０４では、主制御部３０１は、ＡＦＥ制御部３０１を制御して、ステップＳ１０３で取得したデジタル画像信号出力値に基づき、予め設定した黒基準値Ｄ１０４になるようにＡＦＥ３０５のオフセットレベルを設定するレジスタを変更する。以上で黒基準の調整が完了する。
【００３４】
次に、光源３０３の光量調整を行う。ステップＳ１０５では、主制御部３０１は、光量制御部３１２を介して点灯駆動回路３１２を第一光量点灯期間Ｌ１で駆動して、光源３０３を点灯させる。ここで、図３を参照して、第一光量点灯期間Ｌ１は、点灯駆動回路３１２が光源３０３を点灯させるために必要な点灯期間より長く、第二光量点灯期間Ｌ２より短い点灯期間にあらかじめ設定されている。
【００３５】
次に、ステップＳ１０６では、主制御部３０１は、センサ制御部３１０を制御して読取センサ３０４を駆動する。そして、上記同様に、ＡＦＥ３０５から出力されたデジタル画像信号出力値Ｄ１０６をＡＦＥ制御部３１１を介して取得してＳＤ−ＲＡＭ３０６に保管する（第一取得ステップ）。
【００３６】
次に、ステップＳ１０７では、主制御部３０１は、光量制御部３１２を介して点灯駆動回路３１２を第二光量点灯期間Ｌ２で駆動して、光源３０３を点灯させる。ここで、図３を参照して、第二光量点灯期間Ｌ２は、第一光量点灯期間Ｌ１より長く、ＡＦＥ３０５からの出力であるデジタル画像信号または読取センサ３０４からの出力であるアナログ画像信号が飽和する点灯期間より短い点灯期間にあらかじめ設定されている。
【００３７】
次に、ステップＳ１０８では、主制御部３０１は、センサ制御部３１０を制御して読取センサ３０４を駆動する。そして、上記同様に、ＡＦＥ３０５から出力されたデジタル画像信号出力値Ｄ１０８をＡＦＥ制御部３１１を介して取得してＳＤ−ＲＡＭ３０６に保管する（第二取得ステップ）。
【００３８】
次に、ステップＳ１０９では、主制御部３０１は、ステップＳ１０６で取得したデジタル画像信号出力値Ｄ１０６とステップＳ１０８で取得したデジタル画像信号出力値Ｄ１０８から（Ｄ１０８−Ｄ１０６）／（Ｌ２−Ｌ１）の式を用いて傾きＡを算出する。傾きＡ算出後、主制御部３０１は、Ｄ１０６−Ｌ１×Ａの式を用いて切片Ｂ（図３参照）を算出する。なお、Ｄ１０８−Ｌ２×Ａより切片Ｂを算出しても良い。
【００３９】
傾きＡ及び切片Ｂを算出後、主制御部３０１は、予め設定されたデジタル画像読取信号の目標値ＤＴ、傾きＡ、切片Ｂより（ＤＴ−Ｂ）／Ａを算出し、光源１０３の点灯期間ＬＴを決定する。以上で、光源１０３の点灯期間（光量）の調整が完了する。
【００４０】
最後に白基準の調整を行う。ステップＳ１１０では、主制御部３０１は、光量制御部３０９を制御して、ステップＳ１０９で算出した点灯期間ＬＴで点灯駆動回路３１２を駆動し、光源３０３を点灯させる。
【００４１】
次に、ステップＳ１１１では、主制御部３０１は、センサ制御部３１０を制御して読取センサ３０４を駆動し、上記同様に、ＡＦＥ３０５から出力されたデジタル画像信号出力値をＡＦＥ制御部３１１を介して取得してＳＤ−ＲＡＭ３０６に保管する。
【００４２】
次に、ステップＳ１１２にて主制御部３０１は、ＡＦＥ制御部３１１を制御して、ステップＳ１０９で取得したデジタル画像信号出力値に基づき、予め設定した白基準値になるようにＡＦＥ３０５の増幅率を設定するレジスタを変更する。以上で白基準の調整が完了し、処理を終了する。
【００４３】
以上説明したように、本実施形態では、光源３０３が第一光量で点灯した際と第二光量で点灯した際の読取センサ３０４の出力信号に基づいて、画像読取時の光量調整を行う。このため、点灯期間が短くなるように制御される場合は光源が点灯せず、デジタル画像信号出力値が増加しない汎用トランジスタやオペアンプ等の低価格の点灯駆動回路であっても、画像信号のＳ／Ｎ比を向上させることができる。これにより、高画質の画像を得るための最適な光量を短時間で得ることができる。
【００４４】
（第２の実施形態）
次に、図４及び図５を参照して、本発明の第２の実施形態である画像読取装置について説明する。なお、上記第１の実施形態と重複する部分については、符号を流用して説明する。
【００４５】
図４は光源の光量調整動作例を説明するためのフローチャート図、図５は光源の光量調整動作時の光量とＡＦＥ出力との関係を示すグラフ図である。
【００４６】
本実施形態は、上記第１の実施形態における図２のステップＳ１０４とステップＳ１０５との間に、第一光量の光量値を自動で設定する処理を追加している。
【００４７】
図２のステップＳ１０４にて黒基準の調整が完了後、ステップＳ９０１では、主制御部３０１は、予め設定された点灯期間又は現在の点灯期間に点灯期間の増分ＬＳを追加して、点灯期間の設定を変更する（図５参照）。点灯期間の増分ＬＳは、経験的或いは実験的に求められる第一点灯期間Ｌ１を複数に分割した点灯期間とすることが好適であるが、これに限定されない。
【００４８】
次に、ステップＳ９０２では、主制御部３０１は、光量制御部３０９を制御して点灯駆動回路３１２をステップＳ９０１で設定された点灯期間で駆動し、光源３０３を点灯させる。
【００４９】
次に、ステップＳ９０３では、主制御部３０１は、センサ制御部３１０を制御して読取センサ３０４を駆動し、上記同様に、ＡＦＥ３０５から出力されたデジタル画像信号出力値Ｄ９０３をＡＦＥ制御部３１１を介して取得してＳＤ−ＲＡＭ３０６に保管する。
【００５０】
次に、ステップＳ９０４では、主制御部３０１は、ステップＳ９０３にて取得したデジタル画像読取信号出力値Ｄ９０３が基準値ＤＬ１以上であるかを判断する。
【００５１】
そして、主制御部３０１は、デジタル画像読取信号出力値Ｄ９０３が基準値ＤＬ１未満の場合、ステップＳ９０１に戻り、点灯期間の増分ＬＳを更に追加して（図５参照）、ステップＳ９０２以降の処理を繰り返す。
【００５２】
一方、主制御部３０１は、デジタル画像読取信号出力値Ｄ９０３が基準値ＤＬ１以上の場合、ステップＳ９０５に進む。
【００５３】
ステップＳ９０５では、主制御部３０１は、ステップＳ９０１で設定された点灯期間を第一光量点灯期間Ｌ１に設定し、図２のステップＳ１０５に進む。
【００５４】
以上説明したように、本実施形態では、光源３０３の光量を一定間隔で一定量増加させ、読取センサ３０４の信号出力値が所定の値以上となったときの光量を第一光量とすることにより、予め第一光量を設定することなく自動で第一光量を設定することができる。なお、点灯期間の増分ＬＳを一定値としない場合も本発明に含まれる。また、光量を増加させるだけでなく、減少させる場合も本発明に含まれる。その他の構成及び作用効果は、上記第１の実施形態と同様である。
【００５５】
（第３の実施形態）
次に、図６を参照して、本発明の第３の実施形態である画像読取装置について説明する。図６は、光源の光量調整動作時の光量とＡＦＥ出力との関係を示すグラフ図である。なお、上記第１及び第２の実施形態と重複する部分については、符号を流用して説明する。
【００５６】
本実施形態は、上記第１の実施形態に対して、上記第２の実施形態と同様に、第一光量の光量値を自動で設定する処理を追加した例であるが、図４のステップＳ９０４の処理が異なる。
【００５７】
すなわち、図４のステップＳ９０４において、主制御部３０１は、ステップＳ９０３で取得したデジタル画像読取信号出力値と以前に取得したデジタル画像読取信号出力値との差分値（変化量）ＤＭ１を算出し、差分値ＤＭ１が基準値ＤＬ１以上であるかを判断する。なお、本実施形態では、以前に取得したデジタル画像読取信号出力値を黒基準値Ｄ１０４としている。
【００５８】
そして、主制御部３０１は、差分値ＤＭ１が図６に示す基準値ＤＬ１未満の場合、ステップＳ９０１に戻り、点灯期間の増分ＬＳを更に追加して（図６参照）、ステップＳ９０２以降の処理を繰り返す。
【００５９】
一方、主制御部３０１は、差分値ＤＭ１が基準値ＤＬ１以上の場合、ステップＳ９０５に進み、ステップＳ９０１で設定された点灯期間を第一光量点灯期間Ｌ１に設定し、図２のステップＳ１０５に進む。
【００６０】
なお、本実施形態では、差分値ＤＭ１の算出は、取得したデジタル画像信号出力値と黒基準値Ｄ１０４との差分で行っているが、図７に示すように、黒基準値の代わりに直前の光量で点灯したときに取得されたデジタル画像読取信号出力値を用いてもよい。また、黒基準値の代わりに直前の光量で点灯したデジタル画像読取信号出力値の平均値を用いてもよい。また、直前ではなく、数回前の光量において取得したデジタル画像読取信号出力値を用いてもよい。
【００６１】
以上説明したように、本実施形態では、光源３０３の光量を一定間隔で一定量増加させて、光量増加時の読取センサ３０４の信号出力値と以前に取得した読取センサ３０４の信号出力値との差分値が所定の値以上となったときの光量を第一光量としている。これにより、予め第一光量を設定することなく自動で第一光量を設定することができる。その他の構成及び作用効果は、上記第１及び第２の実施形態と同様である。
【００６２】
なお、本発明は、上記各実施形態に例示したものに限定されるものではなく、本発明の要旨を逸脱しない範囲において適宜変更可能である。
【００６３】
例えば、光量増加の際に信号出力が増加するイメージセンサではなく、信号出力が減少するイメージセンサを使用してもよい。この場合は、例えば、基準信号出力から信号出力を差し引いた差が本発明の信号出力値に相当する。また、光量の調整は、点灯期間の増減ではなく、光源の発光強度を入力する信号の電圧／電流の調整等で行う場合も本発明に含まれる。
【００６４】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６５】
この場合、記憶媒体から読み出されたプログラムコード自体が前述した実施の形態の機能を実現することになり、そのプログラムコード及び該プログラムコードを記憶した記憶媒体は本発明を構成することになる。
【００６６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００６８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６９】
【図１】本発明の第１の実施形態である画像読取装置の装置構成を説明するためのブロック図である。
【図２】光源の光量調整動作例を説明するためのフローチャート図である。
【図３】光源の光量調整動作時の光量とＡＦＥ出力との関係を示すグラフ図である。
【図４】本発明の第２の実施形態である画像読取装置における光源の光量調整動作例を説明するためのフローチャート図である。
【図５】光源の光量調整動作時の光量とＡＦＥ出力との関係を示すグラフ図である。
【図６】本発明の第３の実施形態である画像読取装置における光源の光量調整動作時の光量とＡＦＥ出力との関係を示すグラフ図である。
【図７】光源の光量調整動作時の光量とＡＦＥ出力との関係を示すグラフ図である。
【図８】光源が第一光量で点灯した際と点灯していない際の出力データで光量調整を行う場合の光量とＡＦＥ出力との関係を示すグラフ図である。
【図９】光源を駆動する回路を示すブロック図である。
【図１０】光源の点灯期間が十分に長い場合の光源の出力を示すグラフ図である。
【図１１】光源の点灯期間が短い場合の光源の出力を示すグラフ図である。
【図１２】設定光量が低い際にＡＦＥ出力が変化しない状態で、光源が第一光量で点灯した際と点灯していない際の出力データで光量調整を行う場合の光量とＡＦＥ出力との関係を示すグラフ図である。
【符号の説明】
【００７０】
３０１      主制御部
３０２      ＲＯＭ
３０３      光源
３０４      読取センサ
３０５      ＡＦＥ
３０６      ＳＤ−ＲＡＭ
３０７      基準板
３０８      外部ＩＦ制御部
３０９      光量制御部
３１０      センサ制御部
３１１      ＡＦＥ制御部
３１２      点灯駆動回路
【図１】
2010034847.tif 000003
【図２】
2010034847.tif 000004
【図３】
2010034847.tif 000005
【図４】
2010034847.tif 000006
【図５】
2010034847.tif 000007
【図６】
2010034847.tif 000008
【図７】
2010034847.tif 000009
【図８】
2010034847.tif 000010
【図９】
2010034847.tif 000011
【図１０】
2010034847.tif 000012
【図１１】
2010034847.tif 000013
【図１２】
2010034847.tif 000014